(57)【要約】【課題】画像表示方法において、リスト表示されたうちから選択された１つの画像データと、この画像データに対応する他の画像データとの比較を、簡単に行うことができるものとする。【解決手段】コンピュータ２０の制御によってモニタ３０は、第１のリスト表示窓Ｗ１において選択された画像データＤｉが表す可視画像Ｇｉのサムネイル画像ｇｉと、この選択された画像データＤｉに対応するものとして検索された画像データＤｉ′が表す可視画像Ｇｉ′のサムネイル画像ｇｉ′とを並べて表示させるように、プログラムがコンピュータを機能させる。【選択図】        図２
2004302670.tif 000002
【特許請求の範囲】
【請求項１】
画像表示装置の表示面上に、第１のフォルダに格納された画像データを、該画像データのシンボルによってリスト表示する第１のリスト表示窓と、第２のフォルダに格納された画像データを、該画像データのシンボルによってリスト表示する第２のリスト表示窓とを並べて表示する画像表示方法において、
前記第１のリスト窓において選択された１つの画像データと対応する画像データを、前記第２のフォルダに格納された画像データから検索し、前記選択された１つの画像データのシンボルを前記第１のリスト表示窓において選択表示するとともに前記検索して得られた他の画像データのシンボルを前記第２のリスト表示窓において選択表示し、かつ、前記選択された１つの画像データが表す画像と前記検索して得られた他の画像データが表す画像とを、それぞれ略同一サイズのサムネイル画像として並べて表示することを特徴とする画像表示方法。
【請求項２】
前記第２のフォルダに格納された各画像データは、前記第１のフォルダに格納された各画像データをそれぞれ変換処理して得られた画像データであることを特徴とする請求項１に記載の画像表示方法。
【請求項３】
前記変換処理は、フォーマット形式変換処理、リサイズ処理、増減色処理、およびエフェクト処理のうち、少なくとも１つの処理であることを特徴とする請求項２に記載の画像表示方法。
【請求項４】
前記他の画像データは、前記１つの画像データと名称が同一であって、特定の規格に基づいて規格化された種別の画像データであることを特徴とする請求項１から３のうちいずれか１項に記載の画像表示方法。
【請求項５】
前記他の画像データは、前記１つの画像データと関連付けられたヘッダ情報を有するとともに、特定の規格に基づいて規格化された種別の画像データであることを特徴とする請求項１から３のうちいずれか１項に記載の画像表示方法。
【請求項６】
画像表示装置と、画像データが格納された第１のフォルダおよび第２のフォルダを記憶してなる記憶装置と、前記画像表示装置の表示面上に、前記第１のフォルダに格納された画像データを、該画像データのシンボルによってリスト表示する第１のリスト表示窓と、前記第２のフォルダに格納された画像データを、該画像データのシンボルによってリスト表示する第２のリスト表示窓とを並べて表示するように、前記画像表示装置および前記記憶装置を制御する制御装置とを備えた画像表示システムにおいて、
入力された選択指示にしたがって、前記第１のリスト窓に表示された１または２以上の画像データのうち、１つの画像データを選択する選択手段と、
前記選択手段によって選択された１つの画像データと対応する画像データを、前記第２のフォルダに格納された画像データから検索する検索手段とを備え、
前記制御装置は、前記選択手段によって選択された１つの画像データのシンボルを前記第１のリスト表示窓において選択表示するとともに前記検索手段によって検索して得られた他の画像データのシンボルを前記第２のリスト表示窓において選択表示し、かつ、前記選択された１つの画像データが表す画像と前記検索して得られた他の画像データが表す画像とを、それぞれ略同一サイズのサムネイル画像として並べて表示するように、前記画像表示装置、前記記憶装置、前記選択手段および前記検索手段を制御することを特徴とする画像表示システム。
【請求項７】
前記第２のフォルダに格納された各画像データは、前記第１のフォルダに格納された各画像データをそれぞれ変換処理して得られた画像データであることを特徴とする請求項６に記載の画像表示システム。
【請求項８】
前記変換処理は、フォーマット形式変換処理、リサイズ処理、増減色処理、およびエフェクト処理のうち、少なくとも１つの処理であることを特徴とする請求項７に記載の画像表示システム。
【請求項９】
前記検索手段は、前記１つの画像データと名称が同一であって、特定の規格に基づいて規格化された種別の画像データを、前記他の画像データとして検索することを特徴とする請求項６から８のうちいずれか１項に記載の画像表示システム。
【請求項１０】
前記１つの画像データと関連付けられたヘッダ情報を有するとともに、特定の規格に基づいて規格化された種別の画像データを、前記他の画像データとして検索することを特徴とする請求項６から８のうちいずれか１項に記載の画像表示システム。
【請求項１１】
コンピュータに読み込まれて、請求項１から５のうちいずれか１項に記載の画像表示方法を、前記コンピュータによって実行可能な動作指示をなすことを特徴とするプログラム。
【請求項１２】
コンピュータに読み込まれて、請求項６から１０のうちいずれか１項に記載の画像表示システムとして、前記コンピュータを動作させる指示をなすことを特徴とするプログラム。
【発明の詳細な説明】
【０００１】
【発明の属する技術分野】
本発明は、画像表示方法、画像表示システムおよびプログラムに関し、詳細には、２つのフォルダにそれぞれ格納された画像データを、対応する２つのリスト表示窓にリスト表示する画像表示の改良に関するものである。
【０００２】
【従来の技術】
従来より、表示面に画像を表示する画像表示装置と、画像データが記憶された記憶装置と、記憶装置に記憶された画像データを読み出して、この画像データが表す可視画像を、種々の態様で画像表示装置に表示させるように、画像表示装置および記憶装置を制御する制御装置とを備えた画像表示システムが知られている。
【０００３】
例えば、パーソナルコンピュータ等各種コンピュータシステムも、この画像表示システムの一態様ということができる。
【０００４】
このような画像表示システムにおいては、画像データは、その上位ディレクトリであるフォルダに格納された形式で、記憶装置に記憶されているのが一般的である。
【０００５】
また、画像の表示態様として、制御装置の制御により、上述したフォルダに格納されている画像データを一覧的にリスト表示しつつ、このリスト表示の中から選択された１つの画像を、例えばプレビュー用として、サムネイル画像で表示することも行われている。
【０００６】
さらに、２つのリスト表示窓を並べて表示し、これらの各リスト表示窓に、互いに異なる２つのフォルダにそれぞれ格納されている画像データのリストを表示することも行われている。
【０００７】
すなわち、例えば、画像のフォーマット形式を他のフォーマット形式に変換処理するアプリケーションプログラムでは、第１のフォルダに格納されている変換処理前の画像データを第１のリスト表示窓にリスト表示し、変換処理ボタンをクリックすると、変換処理後の画像データを第２のリスト表示窓にリスト表示することが行われている。
【０００８】
なお、上述した先行技術は、いわゆるオンラインソフトウェアであるため、このソフトウェアの使用方法等を明示した文献としての先行技術文献情報を提示することはできない。
【０００９】
ただし、当該ソフトウェアを提供しているインターネットのサイト上においては、その一部が概略示されている。（ＵＲＬ（ｈｔｔｐ：／／ｗｗｗ．ｔｏｃｋａ．ｎｅ．ｊｐ／ｐｒｏｄｕｃｔｓ／ｇｉｘ／ｇｉｘａｍａｔｅ．ｈｔｍｌ）、サイト名（ＧＩＸオートメイト５），２００３年３月２８日確認）。
【００１０】
【発明が解決しようとする課題】
ところで、上述したような変換処理を行った場合には、変換処理条件を適正化するため等の理由により、画像が変換処理前後でどのように変化したかを、一目で把握したいという要望がある。
【００１１】
この要望に対して従来は、ユーザ（操作者）が、上述したリスト表示とは別のアプリケーションプログラムを起動し、変換処理前後の各画像をそれぞれ探して、各画像をアプリケーションプログラムの別々のウィンドウで開き、ウィンドウを切り換えながら、両画像を比較するほかなかった。
【００１２】
しかし、このような方法では、各画像を探す手間が掛かるとともに、両画像を一目で把握することができなかった。
【００１３】
また、この問題は、変換処理による画像の比較の場合だけでなく、対応する２つの画像の比較の場合に、同様に生じる問題である。
【００１４】
本発明は、上記事情に鑑みなされたものであり、リスト表示されたうちから選択された１つの画像データと、この画像データに対応する他の画像データとの比較を、簡単に行うことができる画像表示方法、画像表示システムおよびプログラムを提供することを目的とする。
【００１５】
【課題を解決するための手段】
上記課題を解決するため、本発明に係る画像表示方法は、一方の画像データ群において選択された画像データと対応する画像を、他方の画像データ群から検索して、両画像を並べて表示することにより、両画像を容易に比較しうるようにしたものである。
【００１６】
すなわち、本発明の請求項１に係る画像表示方法は、画像表示装置の表示面上に、第１のフォルダに格納された画像データを、該画像データのシンボルによってリスト表示する第１のリスト表示窓と、第２のフォルダに格納された画像データを、該画像データのシンボルによってリスト表示する第２のリスト表示窓とを並べて表示する画像表示方法において、前記第１のリスト窓において選択された１つの画像データと対応する画像データを、前記第２のフォルダに格納された画像データから検索し、前記選択された１つの画像データのシンボルを前記第１のリスト表示窓において選択表示するとともに前記検索して得られた他の画像データのシンボルを前記第２のリスト表示窓において選択表示し、かつ、前記選択された１つの画像データが表す画像と前記検索して得られた他の画像データが表す画像とを、それぞれ略同一サイズのサムネイル画像として並べて表示することを特徴とする。
【００１７】
ここで、上記選択表示は、シンボルおよびこのシンボルの周辺部の色を反転して表示することや、チェックマークを表示することなど、操作者が視認可能な種々の表示を採用することができる。
【００１８】
また、シンボルは、画像データの名称（キャラクタ文字等）であってもよいし、当該画像データが表す可視画像をアイコン化したものであってもよい。
【００１９】
第１のフォルダや第２のフォルダは、所定の記憶装置に記憶されているものであり、これらの各フォルダに格納されている画像データは、１つであってもよいし、２以上の複数であってもよい。
【００２０】
なお、第１のフォルダに画像データが１つも格納されていない場合は、第１のリスト表示窓に画像データのシンボルが全く表示されないため、この第１のリスト表示窓において画像データが選択されず、したがって、以後の検索、選択表示、サムネイル画像表示等を行うことはできないが、このような場合は、適当な迂回ステップや中断ステップあるいはフォルダの再選択ステップを付加することによって、フォルダに画像データが１つも格納されていない場合を含めて、本発明の画像表示方法を適用することができる。
【００２１】
一方、第２のフォルダに画像データが１つも格納されていない場合は、検索によってヒットした画像データが存在しなかった場合と同じであるため、以後の選択表示、サムネイル表示等を行うことはできないが、このような場合は、第１のリスト表示窓側でのみ選択画像データの選択表示、選択画像データのサムネイル画像表示を行い、第２のリスト表示窓側では選択画像データの選択表示を行わず、かつ、対応する画像データのサムネイル画像表示を行わない処理とすることで、本発明の画像表示方法を適用することができる。
【００２２】
また、サムネイル画像は、画像データが表す可視画像を、適当な大きさに縮小処理して表した画像であるが、このサムネイル画像の表示または非表示を選択可能としてもよい。
【００２３】
このように構成された本発明の請求項１に係る画像表示方法によれば、第１のリスト表示窓において選択された１つの画像データに対応する他の画像データが第２のフォルダに存在している場合には、第２のリスト表示窓において当該他の画像データが反転表示され、存在しない場合には反転表示されないため、その存否を操作者に一目で把握させることができる。
【００２４】
また、選択された１つの画像データおよびこの１つの画像データに対応して検索された他の画像データは、それぞれサムネイル画像として、並んで表示されるため、各フォルダごとに個々の画像データを可視画像として展開させて表示する従来の場合に比べて、操作者は、両サムネイル画像を一目で比較することができ、したがって、両サムネイル画像の同一度合いあるいは差異を手掛かりとして、両画像データがそれぞれ表す画像（サムネイル画像ではない画像）の同一度合いや差異を、操作者に対して容易に把握（比較）させることができる。
【００２５】
また、本発明の請求項２に係る画像表示方法は、請求項１に係る画像表示方法において、前記第２のフォルダに格納された各画像データは、前記第１のフォルダに格納された各画像データをそれぞれ変換処理して得られた画像データであることを特徴とする。
【００２６】
ここで、変換処理には、後述するフォーマット形式変換処理の外、平滑化処理、鮮鋭化処理、エッジ強調処理、補間処理、間引き処理、二値化処理等公知の各種画像処理を含む。
【００２７】
このように構成された本発明の請求項２に係る画像表示方法によれば、サムネイル画像として並んで表示される２つの対応する画像は、変換処理前の画像と変換処理後の画像とであるため、これら２つのサムネイル画像を比較することによって、変換処理による画像の劣化等に基づき、変換処理の適切性を操作者に対して、容易に判断させることができる。
【００２８】
また、本発明の請求項３に係る画像表示方法は、請求項２に係る画像表示方法において、前記変換処理は、フォーマット形式変換処理、リサイズ処理、増減色処理、およびエフェクト処理のうち、少なくとも１つの処理であることを特徴とする。
【００２９】
ここで、フォーマット形式変換処理とは、例えばＢＭＰ（ビットマップ）形式（Ｗｉｎｄｏｗｓ（ウィンドウズ；登録商標）における標準の画像形式）の画像データを、ＪＰＥＧ（ジェイペグ）形式やＧＩＦ（ジフ）形式、ＰＮＧ（ピーエヌジー）形式、ＴＩＦＦ（ティフ）形式等の画像データに変換する処理や、これら形式の相互間での変換処理、あるいは、所定のＪＰＥＧ形式から圧縮率の異なるＪＰＥＧ形式への変換処理、所定のＢＭＰ形式からカラーパレットの異なるＢＭＰ形式への変換処理等各種の公知のフォーマット形式間の変換処理をいう。
【００３０】
また、リサイズ処理とは、画像データのサイズを拡縮する変換処理であり、画像のアスペクト比（縦横比）を維持してのリサイズだけでなく、アスペクト比を変化させてのリサイズも含む変換処理である。
【００３１】
増減色処理は、カラーｂｉｔ数を増減する処理だけでなく、明度、彩度および色相のうち少なくとも１つの要素を変更する色調処理も含む。
【００３２】
エフェクト処理は、例えば透過ＧＩＦ形式のように、バックグランドを透過させて表示しうるようにしたフォーマット形式の画像データについて、透過しないように他の色コードに置き換える処理や、これとは反対に、透過しないように設定されたフォーマット形式の画像データについて、バックグランドを透過させるように置換する処理等、各種の画像効果の有無あるいは画像効果の大小についての変換処理をいう。
【００３３】
このように構成された本発明の請求項３に係る画像表示方法によれば、サムネイル画像として並んで表示される２つの対応する画像に基づいて、フォーマット形式変換処理、リサイズ処理、増減色処理、またはエフェクト処理の各変換処理の適切性を操作者に対して、容易に判断させることができる。
【００３４】
また、本発明の請求項４係る画像表示方法は、請求項１から３のうちいずれか１項に係る画像表示方法において、前記他の画像データは、前記１つの画像データと名称が同一であって、特定の規格に基づいて規格化された種別の画像データであることを特徴とする。
【００３５】
ここで、画像データの名称が同一とは、各画像データのフォーマット形式を表す拡張子（「．ｂｍｐ」，「．ｊｐｇ」，「．ｊｐｅｇ」，「．ｇｉｆ」，「．ｐｎｇ」，「．ｔｉｆｆ」等）を除いたファイル名が同一であることを意味する。
【００３６】
また、特定の規格に基づいて規格化された種別の画像データとは、例えば車載情報端末機で表示させるのに適した規格（例えば、２５６色の専用カラーパレットで規定されるＢＭＰ形式、かつ縦９６ドット×横９６ドットの画像サイズ等）で設定された画像データを意味する。
【００３７】
このように構成された本発明の請求項４に係る画像表示方法によれば、第１のフォルダから選択された１つの画像データに対応する第２のフォルダに格納されている他の画像データを検索するに際しては、画像データの名称が同一のものを検索すればよく、また、例えば車載情報端末機で使用するため等特定の目的で変換処理（規格化）された画像データは、その画像データのヘッダ部に記録されている情報（サイズやフォーマット形式等）に基づいて検索することができるため、上記特定の目的で変換処理された画像データのみを、容易に検索することができる。
【００３８】
また、本発明の請求項５に係る画像表示方法は、請求項１から３のうちいずれか１項に係る画像表示方法において、前記他の画像データは、前記１つの画像データと関連付けられたヘッダ情報を有するとともに、特定の規格に基づいて規格化された種別の画像データであることを特徴とする。
【００３９】
このように構成された本発明の請求項５に係る画像表示方法によれば、第１のフォルダから選択された１つの画像データに対応する第２のフォルダに格納されている他の画像データを検索するに際しては、画像データのヘッダ部に記録されている上記１つの画像データとの関連づけ情報（ヘッダ情報）を検索すればよく、また、例えば車載情報端末機で使用するため等特定の目的で変換処理された画像データは、その画像データのヘッダ部に記録されている情報に基づいて検索することができるため、上記特定の目的で変換処理された画像データのみを、容易に検索することができる。
【００４０】
しかも、この場合は、ヘッダ部の情報だけで検索可能であるため、画像データの名称がリネームされている場合であっても検索することができ、画像データの名称の変更について制約がなく、第２のフォルダに格納されている画像データに対して自由に名称を付けることができる。
【００４１】
なお、上述した本発明の画像表示方法についての各説明は、以下に説明する画像表示システムの発明およびプログラムの発明においても同様である。
【００４２】
また、本発明に係る画像表示システムは、本発明に係る画像表示方法を実施するシステムである。
【００４３】
すなわち、本発明の請求項６に係る画像表示システムは、画像表示装置と、画像データが格納された第１のフォルダおよび第２のフォルダを記憶してなる記憶装置と、前記画像表示装置の表示面上に、前記第１のフォルダに格納された画像データを、該画像データのシンボルによってリスト表示する第１のリスト表示窓と、前記第２のフォルダに格納された画像データを、該画像データのシンボルによってリスト表示する第２のリスト表示窓とを並べて表示するように、前記画像表示装置および前記記憶装置を制御する制御装置とを備えた画像表示システムにおいて、入力された選択指示にしたがって、前記第１のリスト窓に表示された１または２以上の画像データのうち、１つの画像データを選択する選択手段と、前記選択手段によって選択された１つの画像データと対応する画像データを、前記第２のフォルダに格納された画像データから検索する検索手段とを備え、前記制御装置は、前記選択手段によって選択された１つの画像データのシンボルを前記第１のリスト表示窓において選択表示するとともに前記検索手段によって検索して得られた他の画像データのシンボルを前記第２のリスト表示窓において選択表示し、かつ、前記選択された１つの画像データが表す画像と前記検索して得られた他の画像データが表す画像とを、それぞれ略同一サイズのサムネイル画像として並べて表示するように、前記画像表示装置、前記記憶装置、前記選択手段および前記検索手段を制御することを特徴とする。
【００４４】
このように構成された本発明の請求項６に係る画像表示システムによれば、第１のリスト窓に表示された１または２以上の画像データのうち１つの画像データを選択する指示が入力された選択手段が、この指示にしたがって１つの画像データを選択し、検索手段が、選択手段によって選択された１つの画像データと対応する画像データを第２のフォルダに格納された画像データから検索し、制御装置によって制御された画像表示装置が、選択手段によって選択された１つの画像データのシンボルを第１のリスト表示窓において選択表示するとともに検索手段によって検索して得られた他の画像データのシンボルを第２のリスト表示窓において選択表示し、選択された１つの画像データが表す画像と検索して得られた他の画像データが表す画像とを、それぞれ略同一サイズのサムネイル画像として並べて表示する。
【００４５】
したがって、第２のリスト表示窓において反転表示された画像データの有無によって、選択した１つの画像データに対応する他の画像データの存否を操作者に一目で把握させることができる。
【００４６】
また、選択された１つの画像データおよびこの１つの画像データに対応して検索された他の画像データは、それぞれサムネイル画像として、並んで表示されるため、各フォルダごとに個々の画像データを可視画像として展開させて表示する従来の場合に比べて、操作者は、両サムネイル画像を一目で比較することができ、したがって、両サムネイル画像の同一度合いあるいは差異を手掛かりとして、両画像データがそれぞれ表す画像（サムネイル画像ではない画像）の同一度合いや差異を、操作者に対して容易に把握（比較）させることができる。
【００４７】
また、本発明の請求項７に係る画像表示システムは、請求項６に係る画像表示システムにおいて、前記第２のフォルダに格納された各画像データは、前記第１のフォルダに格納された各画像データを、それぞれ変換処理して得られた画像データであることを特徴とする。
【００４８】
このように構成された本発明の請求項７に係る画像表示システムによれば、サムネイル画像として並んで表示される２つの対応する画像は、変換処理前の画像と変換処理後の画像とであるため、これら２つのサムネイル画像を比較することによって、変換処理による画像の劣化等に基づき、変換処理の適切性を操作者に対して、容易に判断させることができる。
【００４９】
また、本発明の請求項８に係る画像表示システムは、請求項７に係る画像表示システムにおいて、前記変換処理は、フォーマット形式変換処理、リサイズ処理、増減色処理、およびエフェクト処理のうち、少なくとも１つの処理であることを特徴とする。
【００５０】
このように構成された本発明の請求項８に係る画像表示システムによれば、サムネイル画像として並んで表示される２つの対応する画像に基づいて、フォーマット形式変換処理、リサイズ処理、増減色処理、またはエフェクト処理の各変換処理の適切性を操作者に対して、容易に判断させることができる。
【００５１】
また、本発明の請求項９に係る画像表示システムは、請求項６から８のうちいずれか１項に係る画像表示システムにおいて、前記検索手段は、前記１つの画像データと名称が同一であって、特定の規格に基づいて規格化された種別の画像データを、前記他の画像データとして検索することを特徴とする。
【００５２】
このように構成された本発明の請求項９に係る画像表示システムによれば、第１のフォルダから選択された１つの画像データに対応する第２のフォルダに格納されている他の画像データを検索するに際しては、画像データの名称が同一のものを検索すればよく、また、例えば車載情報端末機で使用するため等特定の目的で変換処理（規格化）された画像データは、その画像データのヘッダ部に記録されている情報（サイズやフォーマット形式等）に基づいて検索することができるため、上記特定の目的で変換処理された画像データのみを、容易に検索することができる。
【００５３】
また、本発明の請求項１０に係る画像表示システムは、請求項６から８のうちいずれか１項に係る画像表示システムにおいて、前記１つの画像データと関連付けられたヘッダ情報を有するとともに、特定の規格に基づいて規格化された種別の画像データを、前記他の画像データとして検索することを特徴とする。
【００５４】
このように構成された本発明の請求項１０に係る画像表示システムによれば、第１のフォルダから選択された１つの画像データに対応する第２のフォルダに格納されている他の画像データを検索するに際しては、画像データのヘッダ部に記録されている上記１つの画像データとの関連づけ情報（ヘッダ情報）を検索すればよく、また、例えば車載情報端末機で使用するため等特定の目的で変換処理された画像データは、その画像データのヘッダ部に記録されている情報に基づいて検索することができるため、上記特定の目的で変換処理された画像データのみを、容易に検索することができる。
【００５５】
しかも、この場合は、ヘッダ部の情報だけで検索可能であるため、画像データの名称がリネームされている場合であっても検索することができ、画像データの名称の変更について制約がなく、第２のフォルダに格納されている画像データに対して自由に名称を付けることができる。
【００５６】
また、本発明に係るプログラムは、コンピュータに読み込まれて、本発明に係る画像表示方法をコンピュータに実行させ、あるいは画像表示システムとしてコンピュータを機能させるものである。
【００５７】
すなわち、本発明の請求項１１に係るプログラムは、コンピュータに読み込まれて、請求項１から５のうちいずれか１項に記載の画像表示方法を、前記コンピュータによって実行可能な動作指示をなすことを特徴とする。
【００５８】
このように構成された本発明の請求項１１に係るプログラムによれば、第１のリスト表示窓において選択された１つの画像データに対応する他の画像データが第２のフォルダに存在している場合には、第２のリスト表示窓において当該他の画像データが反転表示され、存在しない場合には反転表示されないため、その存否を操作者に一目で把握させることができる。
【００５９】
また、選択された１つの画像データおよびこの１つの画像データに対応して検索された他の画像データは、それぞれサムネイル画像として、並んで表示されるため、各フォルダごとに個々の画像データを可視画像として展開させて表示する従来の場合に比べて、操作者は、両サムネイル画像を一目で比較することができ、したがって、両サムネイル画像の同一度合いあるいは差異を手掛かりとして、両画像データがそれぞれ表す画像（サムネイル画像ではない画像）の同一度合いや差異を、操作者に対して容易に把握（比較）させることができる。
【００６０】
また、本発明の請求項１２に係るプログラムは、コンピュータに読み込まれて、請求項６から１０のうちいずれか１項に記載の画像表示システムとして、前記コンピュータを動作させる指示をなすことを特徴とする。
【００６１】
このように構成された本発明の請求項１２に係るプログラムによれば、第１のリスト表示窓において選択された１つの画像データに対応する他の画像データが第２のフォルダに存在している場合には、第２のリスト表示窓において当該他の画像データが反転表示され、存在しない場合には反転表示されないため、その存否を操作者に一目で把握させることができる。
【００６２】
また、選択された１つの画像データおよびこの１つの画像データに対応して検索された他の画像データは、それぞれサムネイル画像として、並んで表示されるため、各フォルダごとに個々の画像データを可視画像として展開させて表示する従来の場合に比べて、操作者は、両サムネイル画像を一目で比較することができ、したがって、両サムネイル画像の同一度合いあるいは差異を手掛かりとして、両画像データがそれぞれ表す画像（サムネイル画像ではない画像）の同一度合いや差異を、操作者に対して容易に把握（比較）させることができる。
【００６３】
【発明の実施の形態】
以下、本発明に係る画像表示方法、画像表示システムおよびプログラムの具体的な実施の形態について、図面を参照して説明する。
（実施形態１）
図１は、本発明に係る画像表示方法を実施するための一実施形態である画像表示システム１００を示すブロック図、図２は、図１に示した画像表示システム１００による表示例を示す図である。
【００６４】
図示の画像表示システム１００は、表示面に画像を表示する画像表示装置７０と、複数の画像データＤ１，Ｄ２，…，Ｄｉ，…が格納された第１のフォルダＦ１および複数の画像データＤ１′，Ｄ２′，…，Ｄｉ′，…が格納された第２のフォルダＦ２を含む各種データファイルが記憶された記憶装置５０と、画像表示装置７０の表示面上に、第１のフォルダＦ１に格納された画像データＤ１′，Ｄ２′，…を、これら画像データＤ１，Ｄ２，…の名称（画像データと同一符号Ｄ１，Ｄ２，…によって表す）によってリスト表示する第１のリスト表示窓Ｗ１と、第２のフォルダＦ２に格納された画像データＤ１′，Ｄ２′，…を、これら画像データのＤ１′，Ｄ２′，…の名称（画像データと同一符号Ｄ１′，Ｄ２′，…によって表す）によってリスト表示する第２のリスト表示窓Ｗ２とを並べて表示するように、画像表示装置および記憶装置を制御する制御装置６０と、入力された選択指示にしたがって、第１のリスト窓Ｗ１に表示された画像データＤ１，Ｄ２，…のうち１つの画像データＤｉを選択する選択手段８０と、選択手段８０によって選択された１つの画像データＤｉと対応する画像データＤｉ′を、第２のフォルダＦ２に格納された画像データＤ１′，Ｄ２′，…のうちから検索する検索手段９０とを備えた構成である。
【００６５】
ここで、制御装置６０はさらに、選択手段８０によって選択された１つの画像データＤｉの名称Ｄｉを第１のリスト表示窓Ｗ１において反転表示するとともに、検索手段９０によって検索して得られた他の画像データＤｉ′の名称Ｄｉ′を第２のリスト表示窓Ｗ２において反転表示し、かつ、選択された１つの画像データＤｉが表す可視画像Ｇｉと検索して得られた他の画像データＤｉ′が表す可視画像Ｇｉ′とを、それぞれ略同一サイズのサムネイル画像ｇｉ，ｇｉ′として、各対応するリスト表示窓Ｗ１，Ｗ２の下方に並べて表示するように、画像表示装置７０、記憶装置５０、選択手段８０および検索手段９０を制御する。
【００６６】
次に、本実施形態に係る画像表示システム１００の作用について説明する。
【００６７】
まず、画像表示装置７０の表示面には、制御装置６０の制御によって、図２に示すように、第１のリスト表示窓Ｗ１と第２のリスト表示窓Ｗ２とが、左右に並んで表示される。
【００６８】
ここで、表示面の向かって左側領域に表示された第１のリスト表示窓Ｗ１の上方には、この第１のリスト表示窓Ｗ１にリスト表示しようとする画像データ（の名称）Ｄ１，Ｄ２，…が格納された第１のフォルダＦ１の名称が、パス情報（ディレクトリ）を含む形式で表示される。
【００６９】
また、表示面の向かって右側領域に表示された第２のリスト表示窓Ｗ２の上方には、この第２のリスト表示窓Ｗ２にリスト表示しようとする画像データ（の名称）Ｄ１′，Ｄ２′，…が格納された第２のフォルダＦ２の名称が、パス情報を含む形式で表示される。
【００７０】
そして、ユーザが、第１のリスト窓Ｗ１に表示された画像データＤ１，Ｄ２，…のうち１つの画像データＤｉを選択する指示を選択手段８０に入力すると、制御装置６０の制御によって、選択手段８０は記憶手段５０の内部でこの画像データＤｉを選択する。
【００７１】
さらに制御手段６０の制御によって、画像表示装置７０は、選択された画像データの名称Ｄｉを、第１のリスト表示窓Ｗ１において反転表示する。
【００７２】
また、制御手段６０の制御によって、検索手段９０は、選択手段８０によって選択された１つの画像データＤｉと対応する画像データＤｉ′を第２のフォルダＦ２に格納された画像データＤ１′，Ｄ２′，…から検索する。
【００７３】
この画像データＤｉ′の検索は、選択された画像データＤｉと名称が同一（Ｄ１とＤ１′、Ｄ２とＤ２′、ＤｉとＤｉ′とは、同一名称とみなす。）のものを検索することによって行われる。この結果、検索手段９０は、画像データＤｉ′を得る。
【００７４】
そして、制御手段６０の制御によって、画像表示装置７０は、検索して得られた画像データの名称Ｄｉ′を、第２のリスト表示窓Ｗ２において反転表示する。
【００７５】
この結果、第２のリスト表示窓Ｗ２において画像データＤｉ′が反転表示されたことによって、ユーザは、選択した画像データＤｉに対応する画像データＤｉ′の存在を把握することができる。
【００７６】
さらに、画像表示装置７０は、制御手段６０の制御によって、選択された画像データＤｉが表す可視画像Ｇｉと、検索して得られた他の画像データＤｉ′が表す可視画像Ｇｉ′とを、それぞれ略同一サイズのサムネイル画像ｇｉ，ｇｉ′として、各対応するリスト表示窓Ｗ１，Ｗ２の下方に並べて表示する。
【００７７】
この結果、ユーザは、対応する両サムネイル画像ｇｉ，ｇｉ′を一目で比較することができ、両サムネイル画像ｇｉ，ｇｉ′の同一度合いあるいは差異を手掛かりとして、両画像データＤｉ，Ｄｉ′がそれぞれ表す画像Ｇｉ，Ｇｉ′の同一度合いや差異を、容易に把握（比較）することができる。
【００７８】
なお、図１に示した画像表示システム１００が、第１のリスト表示窓Ｗ１にリスト表示された画像データＤ１，…に対して、そのフォーマット形式を他のフォーマット形式に変換処理等する変換手段をさらに備えて、画像処理システムを構成してもよく、この場合は、図２に示した変換ボタンＣをクリックすることによって、制御装置６０によって制御された変換手段が、第１のリスト表示窓Ｗ１にリスト表示された画像データＤ１，…のうち１または２以上の選択された画像データＤに対して、そのフォーマット形式を他のフォーマット形式に変換処理し、これらを変換処理して得られた変換処理後の画像データＤ′を、第２のフォルダＦ２に格納するとともに、これら変換処理後の画像データＤ′を、第２のリスト表示窓Ｗ２にリスト表示して、以下、上述した画像表示システム１００として機能させるにより、フォーマット形式の変換処理前のサムネイル画像ｇｉと変換処理後の対応するサムネイル画像ｇｉ′とを、変換処理直後に比較することができる。
（実施形態２）
図３は、本発明の実施形態２に係る画像表示方法をコンピュータに実行させるプログラムがインストールされたコンピュータシステムを表し、（ａ）は外観図、（ｂ）はコンピュータ２０の基本構成を示すブロック図である。
【００７９】
ここで、図３に示したコンピュータシステムは、コンピュータ２０とモニタ３０とキーボード４２とマウス４１とを備えた構成であり、コンピュータ２０は、制御装置２１ａおよび演算装置２１ｂを備えたＣＰＵ２１と、本実施形態のプログラムがインストールされた主記憶装置２２と、制御装置２１ａの制御を受けて主記憶装置２２にデータを入力する入力装置２３と、制御装置２１ａの制御を受けて主記憶装置２２からデータを受け取る出力装置２３とを備えた構成である。
【００８０】
そして、図１に示した画像表示システム１００との対応関係は、主記憶装置２２が記憶装置５０に対応し、モニタ３０が画像表示装置７０に対応し、ＣＰＵ２１、入力装置２３および出力装置２４が、制御装置６０、選択手段８０および検索手段９０に対応し、マウス４１やキーボード４２が、選択手段８０としてのＣＰＵ２１等に、選択指示を入力する手段として機能する。
【００８１】
したがって、このプログラムは、本発明の画像表示システムとしてコンピュータを機能させるプログラムでもある。
【００８２】
なお、このプログラムは、車載用情報端末機に用いられる地図、画像、音楽、電子メールアドレス、電話番号等のデータを、コンピュータシステムで編集するために用いられるソフトウェアであり、モニタ３０の表示面上に、第１のフォルダＦ１に格納された画像データＤ１，Ｄ２，…，Ｄｉ，…を、画像データの名称Ｄ１，Ｄ２，…，Ｄｉ，…によってリスト表示する第１のリスト表示窓Ｗ１と、第２のフォルダＦ２に格納された画像データＤ１′，Ｄ２′，…，Ｄｉ′，…を、画像データの名称Ｄ１′，Ｄ２′，…，Ｄｉ′，…によってリスト表示する第２のリスト表示窓Ｗ２とを並べて表示するとともに、第１のリスト窓Ｗ１において選択された１つの画像データＤｉと対応する画像データＤｉ′を、第２のフォルダＦ２に格納された画像データＤ１′，…から検索し、図２に示すように、選択された１つの画像データＤｉの名称Ｄｉを第１のリスト表示窓Ｗ１において反転表示するとともに検索して得られた他の画像データＤｉ′の名称Ｄｉ′を第２のリスト表示窓Ｗ２において反転表示し、かつ、選択された１つの画像データＤｉが表す画像Ｇｉと検索して得られた他の画像データＤｉ′が表す画像Ｇｉ′とを、それぞれ略同一サイズのサムネイル画像ｇｉ，ｇｉ′として並べて表示するように、このコンピュータシステムを機能させるものである。
【００８３】
次に、本実施形態に係る画像表示方法およびプログラムの作用について、本実施形態のプログラムの処理内容を示すフローチャート（図４）を参照して説明する。
【００８４】
まず、このプログラムが起動すると、ＣＰＵ２１は、各種設定の初期処理を行って（＃１）図２に示すビューアのウィンドウを開く。なお、この段階では、第１のリスト表示窓Ｗ１および第２のリスト表示窓Ｗ２には、各フォルダＦ１、Ｆ２に格納されている画像データＤ１，…、Ｄ１′，…がそれぞれリスト表示されているだけであり、図示のように反転表示は行われておらず、また、サムネイル画像ｇｉ、ｇｉ′の表示も行われていない。
【００８５】
次いで、ＣＰＵ２１の制御によってビューアのうち第１のサムネイル画像ｇｉが表示される領域の設定（変換前ビューアの設定）が行われ（＃２）、続いて第２のサムネイル画像ｇｉ′が表示される領域の設定（変換後ビューアの設定）が行われる（＃３）。そして、このように設定されたビューア設定等は、マウス４１等からの指示入力であるイベントとともに、プログラムにおいて管理される（＃４）。
【００８６】
ＣＰＵ２１がメインの状態（＃４）にあるときに、操作者により、マウス４１を通じた操作が行われる（＃５）と、マウスイベントが発生し、このマウスイベントがＯＳ（Ｗｉｎｄｏｗｓ等のオペレーションシステム）に送信される。ここでのマウスイベントとしては、第１のリスト表示窓Ｗ１に表示された画像データＤ１，…から、ユーザが比較しようとする画像データＤｉを選択指示（クリック）する操作などである。
【００８７】
そして、ＯＳはこのマウスイベントを受信する（＃６）と、このマウスイベントに応じたマウスカーソルの状態をプログラムに送信する（＃６）。
【００８８】
これらの作用は、ＣＰＵ２１の制御装置２１ａおよび演算装置２１ｂ、主記憶装置２２、入力装置２３並びに出力装置２４の間での信号の送受信によって行われている。
【００８９】
そして、プログラムがマウスカーソルの状態を受信すると（＃４）、プログラムの処理にしたがって、ＣＰＵ２１がマウスカーソルイベントの発生（＃７）を判断し、このイベントが上記画像データＤｉを選択指示に対応したイベントか否かを判定する（＃８）。
【００９０】
そして、このイベントが画像データＤｉを選択指示に対応したイベントであると判定したとき（＃８）は、ＣＰＵ２１は表示する画像データＤｉの設定（表示ファイルの設定）を行い（＃９）、図示（ａ）のルーチンに移行する。
【００９１】
すなわち、ＣＰＵ２１が主記憶装置２２から、この選択された画像データＤｉを検索し（＃１０）、存在していた場合（＃１１）には、その画像データＤｉのデータ内容を読み込んで（＃１２）、第１のサムネイル画像が表示される領域に、サムネイル画像ｇｉとして表示するための処理を行う（＃１３）とともに、第１のリスト表示窓Ｗ１において画像データＤｉの名称Ｄｉが反転表示されるように設定を行い、図示（ｂ）のルーチンに移行する。
【００９２】
（ｂ）のルーチンでは、ＣＰＵ２１が主記憶装置２２から、選択された画像データＤｉに対応する画像データＤｉ′を、所定の条件にしたがって検索し（＃１４）、存在していた場合（＃１５）には、その画像データＤｉ′のデータ内容を読み込んで（＃１６）、第２のサムネイル画像が表示される領域に、サムネイル画像ｇｉ′として表示するための処理を行う（＃１７）とともに、第２のリスト表示窓Ｗ２において画像データＤｉ′の名称Ｄｉ′が反転表示されるように設定を行い、これらの各設定に基づく描画要求が、ＯＳに対して送信される。
【００９３】
この検索処理における所定の条件としては、選択された画像データＤｉと名称が同一（Ｄ１とＤ１′、Ｄ２とＤ２′、ＤｉとＤｉ′とは、同一名称とみなす。）の画像データであって、上述した車載情報端末機用に特化された種別の画像データであること、である。
【００９４】
以上の各描画要求をＯＳが受信すると、ＯＳは、それぞれの描画要求ごとの設定に応じた描画要求を、プログラムに送信する（＃６）。これらの作用も、ＣＰＵ２１の制御装置２１ａおよび演算装置２１ｂ、主記憶装置２２、入力装置２３並びに出力装置２４の間での信号の送受信によって行われている。
【００９５】
そして、ＯＳを介して（＃６）、プログラムが描画要求を受信すると（＃４）、プログラムの処理にしたがってＣＰＵ２１が、描画イベントの発生（＃１８）を判断し、モニタ３０に表示されたビューアの表示内容（ウィンドウ）を切り換える（＃１９）。
【００９６】
このとき、切り換えられたウィンドウには、図２に示すビューアが表示される（＃２０）。すなわち、第１のリスト表示窓Ｗ１において選択された画像データＤｉの名称Ｄｉが反転表示され、かつ第１のサムネイル画像が表示される領域に、サムネイル画像ｇｉが表示されるとともに、第２のリスト表示窓Ｗ２において検索された画像データＤｉ′の名称Ｄｉ′が反転表示され、かつ第２のサムネイル画像が表示される領域に、サムネイル画像ｇｉ′が表示される。
【００９７】
その後は、ユーザインターフェースの入力待ち状態（＃５）に戻り、第１のリスト表示窓Ｗ１において、ユーザが、比較しようとする他の画像データＤｉの選択指示が入力されるのを待つ。
【００９８】
以上説明したように、実施形態２に係る画像表示方法およびプログラムによれば、モニタ３０の表示面上に表示されたビューアは、検索して得られた画像データの名称Ｄｉ′を、第２のリスト表示窓Ｗ２において反転表示するため、ユーザは、選択した画像データＤｉに対応する画像データＤｉ′の存在を把握することができる。
【００９９】
さらに、モニタ３０は、コンピュータ２０の制御によって、選択された画像データＤｉが表す可視画像Ｇｉと、検索して得られた他の画像データＤｉ′が表す可視画像Ｇｉ′とを、それぞれ略同一サイズのサムネイル画像ｇｉ，ｇｉ′として、各対応するリスト表示窓Ｗ１，Ｗ２の下方に並べて表示するため、ユーザは、対応する両サムネイル画像ｇｉ，ｇｉ′を一目で比較することができ、両サムネイル画像ｇｉ，ｇｉ′の同一度合いあるいは差異を手掛かりとして、両画像データＤｉ，Ｄｉ′がそれぞれ表す画像Ｇｉ，Ｇｉ′の同一度合いや差異を、容易に把握（比較）することができる。
【０１００】
【発明の効果】
以上詳細に説明したように、本発明に係る画像表示方法、画像表示システムおよびプログラムによれば、第１のリスト表示窓において選択された１つの画像データに対応する他の画像データが第２のフォルダに存在している場合には、第２のリスト表示窓において当該他の画像データが反転表示され、存在しない場合には反転表示されないため、その存否を操作者に一目で把握させることができる。
【０１０１】
また、選択された１つの画像データおよびこの１つの画像データに対応して検索された他の画像データは、それぞれサムネイル画像として、並んで表示されるため、各フォルダごとに個々の画像データを可視画像として展開させて表示する従来の場合に比べて、操作者は、両サムネイル画像を一目で比較することができ、したがって、両サムネイル画像の同一度合いあるいは差異を手掛かりとして、両画像データがそれぞれ表す画像（サムネイル画像ではない画像）の同一度合いや差異を、操作者に対して容易に把握（比較）させることができる。
【図面の簡単な説明】
【図１】本発明に係る画像表示方法を実施するための実施形態１である画像表示システムを示すブロック図である。
【図２】図１に示した画像表示システム１００による表示例を示す図である。
【図３】本発明に係る画像表示方法をコンピュータに実行させるプログラム（コンピュータを本発明の画像表示システムとして機能させるプログラム）がインストールされたコンピュータシステムを表す図である。
【図４】本発明の実施形態２に係るプログラムの処理内容を示すフローチャートである。
【符号の説明】
２０  コンピュータ
２１  ＣＰＵ
２１ａ  制御装置
２１ｂ  演算装置
２２  主記憶装置
２３  入力装置
２４  出力装置
３０  モニタ
４１  マウス
４２  キーボード
５０  記憶装置
６０  制御装置
７０  画像表示装置
１００  画像表示システム
Ｄ１′，Ｄ２′，…  第１のフォルダに格納された画像データ
Ｄ１′，Ｄ２′，…  第２のフォルダに格納された画像データ
Ｆ１，Ｆ２  フォルダ
Ｗ１，Ｗ２  リスト表示窓
【図１】
2004302670.tif 000003
【図２】
2004302670.tif 000004
【図３】
2004302670.tif 000005
【図４】
2004302670.tif 000006